(57)【要約】【課題】住宅の宅地に関連する情報測定において取得データの正確性向上に寄与するデータ編集システムの提供。【解決手段】宅地に関連する情報を取得するための測定情報取得インターフェイス１１と、測定機器に関する特性情報を取得する測定機器特性登録部１４と、測定を行う宅地の位置情報を取得する位置情報取得部１２と、測定を実施する時間情報を取得する時間情報取得部１３と、特性情報、位置情報及び時間情報に基づき、測定データを特定するためのデータ特定キーを生成するデータ特定キー生成部１５と、測定データを予め定めたデータ形式に加工する測定結果編集部１６と、データ特定キー及び加工した測定結果データをそれぞれ符合データ部分及びバイナリー部分とする宅地情報コンテナデータを作成する共通フォーマット編集部であるデータ編集機構２０を備える。【選択図】図１
2011128728.tif 000002
【特許請求の範囲】
【請求項１】
宅地に関連する情報を測定した測定機器から測定データを取得するための測定情報取得インターフェイスと、
前記測定機器に関する特性情報を取得する測定機器特性登録部と、
測定を行う宅地の位置情報を取得する位置情報取得部と、
測定を実施する時間情報を取得する時間情報取得部と、
前記測定機器特性登録部で取得した特性情報、前記位置情報取得部で取得した位置情報及び前記時間情報取得部で取得した時間情報に基づき、前記測定情報取得インターフェイスで取得した測定データを特定するためのデータ特定キーを生成するデータ特定キー生成部と、
前記測定データを予め定めたデータ形式に加工する測定結果編集部と、
前記データ特定キー生成部で生成したデータ特定キー及び前記測定結果編集部で加工した測定結果データをそれぞれ符合データ部分及びバイナリー部分とする宅地情報データコンテナを作成する共通フォーマット編集部を備えることを特徴とする宅地情報編集システム。
【請求項２】
請求項1の宅地情報編集システムから送られてきた宅地情報データコンテナを、位置情報を公開鍵として蓄積するデータベースと、前記データベースに蓄積された宅地情報データコンテナを、位置情報を公開鍵として取り出し、通常形式のデータに変換してデータ解析を行う処理部を有する解析サーバを有する解析センター。
【請求項３】
請求項１の宅地情報編集システムと請求項２の解析センターとを電気通信回線で接続してなる宅地情報管理システム。
【請求項４】
コンピュータに、
宅地に関連する情報を測定した測定機器から測定データを取得する第１の手順と、
前記測定機器に関する特性情報を取得する第２の手順と、
測定を行う宅地の位置情報を取得する第３の手順と、
測定を実施する時間情報を取得する第４の手順と、
前記第２の手順で取得した特性情報、前記第３の手順で取得した位置情報及び前記第４の手順で取得した時間情報に基づき、前記第１の手順で取得した測定データを特定するためのデータ特定キーを生成する第５の手順と、
前記測定データを予め定めたデータ形式に加工する第６の手順と、
前記第５の手順で生成したデータ特定キー及び前記第６の手順で加工した測定結果データをそれぞれ符合データ部分及びバイナリー部分とする宅地情報データコンテナを作成する第７の手順を実行させるための宅地情報編集プログラム。
【請求項５】
コンピュータに、
宅地に関連する情報を測定した測定機器から測定データを取得する第１の手順と、
前記測定機器に関する特性情報を取得する第２の手順と、
測定を行う宅地の位置情報を取得する第３の手順と、
測定を実施する時間情報を取得する第４の手順と、
前記第２の手順で取得した特性情報、前記第３の手順で取得した位置情報及び前記第４の手順で取得した時間情報に基づき、前記第１の手順で取得した測定データを特定するためのデータ特定キーを生成する第５の手順と、
前記測定データを予め定めたデータ形式に加工する第６の手順と、
前記第５の手順で生成したデータ特定キー及び前記第６の手順で加工した測定結果データをそれぞれ符合データ部分及びバイナリー部分とする宅地情報データコンテナを作成する第７の手順を実行させるための宅地情報編集プログラムが記録されたコンピュータ読み取り可能な記録媒体。
【請求項６】
コンピュータ上で、
蓄積されたデータを利用する目的として、前記第５の手順で生成したデータ特定キー及び前記第６の手順で加工した測定結果データをそれぞれ符合データ部分及びバイナリー部分とする宅地情報データコンテナの形式を採用し、利用する検索プログラムが記録された請求項５に記載のコンピュータ読み取り可能な記録媒体。
【発明の詳細な説明】
【技術分野】
【０００１】
本発明は、宅地情報編集システム、宅地情報編集プログラム及び記録媒体に関し、特に、データ利用時に必要な宅地の位置情報や測定の実施時間を多種・多様な測定機器に関わらず共通の特定符号キーとして編集するための宅地情報編集システム、宅地情報編集プログラム及びその宅地情報編集プログラムを記録したコンピュータ読み取り可能な記録媒体に関する。 
【背景技術】
【０００２】
住宅等を建築する前に、地盤の強度を調べることが重要である。小規模住宅建設のための地盤調査には、例えばスウェーディング式サンディング（ＳＷＳ）試験、簡易貫入試験、平板載荷試験等が行われている。このような試験による地盤情報の取得に際しては、個別の測定機器によるデータがそれぞれ固有の出力形態で提供されている。一般に、地盤調査会社では、測定機器を測定現場に搬入し、測定を行い、その測定結果については測定機器固有の出力結果を人手により編集して、測定依頼者に報告している。
【０００３】
しかしながら、このような地盤調査の方法による報告では、測定結果の正確性が十分担保されていないという問題があった。また、測定依頼者にとっては、測定地の位置情報や測定日時などが共通的な情報として提供されることが望ましい。
【発明の概要】
【発明が解決しようとする課題】
【０００４】
本発明は、このような従来技術の実情に鑑みてなされたもので、宅地情報の測定に際して、必要となる位置情報・実施日時情報等を、採取した測定データに付与したデータとして現場で取得・編集することができ、測定結果の正確性が十分担保された宅地情報編集システム、宅地情報編集プログラム及びその宅地情報編集プログラムを記録したコンピュータ読み取り可能な記録媒体を提供することを課題とする。
【０００５】
また、本発明は、測定依頼者にわかりやすい報告がなされるために、得られた測定結果を共通データ形式で蓄積、利用することができる宅地情報編集プログラム及びその宅地情報編集プログラムを記録したコンピュータ読み取り可能な記録媒体を提供することをも課題とする。
【課題を解決するための手段】
【０００６】
本発明は、上記課題を解決するため、宅地に関連する情報を測定した測定機器から測定データを取得するための測定情報取得インターフェイスと、前記測定機器に関する特性情報を取得する測定機器特性登録部、測定を行う宅地の位置情報を取得する位置情報取得部と、測定を実施する時間情報を取得する時間情報取得部と、前記測定機器特性登録部で取得した特性情報、前記位置情報取得部で取得した位置情報及び前記時間情報取得部で取得した時間情報に基づき、前記測定情報取得インターフェイスで取得した測定データを特定するためのデータ特定キーを生成するデータ特定キー生成部と、前記測定データを予め定めたデータ形式に加工する測定結果編集部と、前記データ特定キー生成部で生成したデータ特定キー及び前記測定結果編集部で加工した測定結果データをそれぞれ符合データ部分及びバイナリー部分とする宅地情報データコンテナを作成する共通フォーマット編集部を備えることを特徴とする宅地情報編集システムを提供する。
【０００７】
また、本発明は、前記宅地情報編集システムから送られてきた宅地情報データコンテナを、位置情報を公開鍵として蓄積するデータベースと、前記データベースに蓄積された宅地情報データコンテナを、位置情報を公開鍵として取り出し、通常形式のデータに変換してデータ解析を行う処理部を有する解析サーバを有する解析センターを提供する。
【０００８】
また、本発明は、前記宅地情報編集システムと前記解析センターとを電気通信回線で接続してなる宅地情報管理システムを提供する。
【０００９】
また、本発明は、コンピュータに、宅地に関連する情報を測定した測定機器から測定データを取得する第１の手順と、前記測定機器に関する特性情報を取得する第２の手順と、測定を行う宅地の位置情報を取得する第３の手順と、測定を実施する時間情報を取得する第４の手順と、前記第２の手順で取得した特性情報、前記第３の手順で取得した位置情報及び前記第４の手順で取得した時間情報に基づき、前記第１の手順で取得した測定データを特定するためのデータ特定キーを生成する第５の手順と、前記測定データを予め定めたデータ形式に加工する第６の手順と、前記第５の手順で生成したデータ特定キー及び前記第６の手順で加工した測定結果データをそれぞれ符合データ部分及びバイナリー部分とする宅地情報データコンテナを作成する第７の手順を実行させるための宅地情報編集プログラムを提供する。
【００１０】
さらに、本発明は、コンピュータに、宅地に関連する情報を測定した測定機器から測定データを取得する第１の手順と、前記測定機器に関する特性情報を取得する第２の手順と、測定を行う宅地の位置情報を取得する第３の手順と、測定を実施する時間情報を取得する第４の手順と、前記第２の手順で取得した特性情報、前記第３の手順で取得した位置情報及び前記第４の手順で取得した時間情報に基づき、前記第１の手順で取得した測定データを特定するためのデータ特定キーを生成する第５の手順と、前記測定データを予め定めたデータ形式に加工する第６の手順と、前記第５の手順で生成したデータ特定キー及び前記第６の手順で加工した測定結果データをそれぞれ符合データ部分及びバイナリー部分とする宅地情報データコンテナを作成する第７の手順を実行させるための宅地情報編集プログラムが記録されたコンピュータ読み取り可能な記録媒体を提供する。
【発明の効果】
【００１１】
本発明によれば、宅地情報の測定に際して、必要となる位置情報・実施日時情報等を、採取した測定データに付与したデータとして現場で取得・編集することができ、測定結果の正確性が十分担保されたものとなる。
【００１２】
また、本発明によれば、すべての測定情報や登録情報を、位置情報を公開鍵として管理するため、データ利用が容易になる利点がある。
【００１３】
さらに、本発明では、多種多様な測定機器、情報種別のデータを位置情報や時間情報等をキーとした共通フォーマットで扱うため、データの管理が容易となる。
【００１４】
また、複数の要員/測定機器/測定方法等が介在する一連の調査/報告/編集およびそのデータを使用しての分析/解析/結果の出力までが、共通キーを介してデータ処理されることにより、作業負荷の軽減と正確性が向上する。
【図面の簡単な説明】
【００１５】
【図１】本発明の実施の形態による宅地情報システムの構成を模式的に示すブロック図である。
【図２】データ特定キー生成のフロー図である。
【図３】宅地情報コンテナデータ作成のフロー図である。
【図４】解析センターの解析サーバの構成例を模式的に示すブロック図である。
【図５】データ利用のフロー図である。
【発明を実施するための形態】
【００１６】
以下、本発明の実施の形態を添付図面と対応して詳細に説明する。図１は、本発明の実施の形態による宅地情報編集システムの構成を模式的に示すブロック図である。
【００１７】
図１において、１は本実施形態の宅地情報編集システム、２は位置情報関連測定機器群、３は解析センターである。
【００１８】
ここでは、位置情報関連測定機器群２として、測定機器Ａ（デジタルカメラ：静止画情報）、測定機器Ｂ（録音機：音情報）、測定機器Ｃ（ビデオカメラ：動画情報）、測定機器Ｄ（スウェーデンサンディング（ＳＷＳ）試験機：数値情報）を例示してあるが、もちろんそれ以外の測定機器も適宜使用することができる。
【００１９】
宅地情報編集システム１は、測定情報取得インターフェイス１１、位置情報取得部１２、時間情報取得部１３、測定機器特性登録部１４、データ特定キー生成部１５、測定結果編集部１６、音声情報加工部１７、画像情報加工部１８、数値情報加工部１９、データ編集機構２０及び出力インターフェイス２１を有する。
【００２０】
位置情報関連測定機器群２の各測定機器Ａ、Ｂ、Ｃ、Ｄには宅地情報を測定して採取したデータを宅地情報システム１側に送信するための送信手段を設けておき、ＲＳ２３２Ｃや赤外線等の汎用の送信手法で採取したデータを転送する。その際、各測定機器Ａ、Ｂ、Ｃ、Ｄから測定機器の型やシリアルＮｏ等の特性情報も合せて送るようにしておく。
【００２１】
宅地情報編集システム１の測定情報取得インターフェイス１１は、測定機器から転送されてきた測定データ及び測定機器の型やシリアルＮｏ等の特性情報を取得する。位置情報取得部１２は、測定を行う宅地の位置情報を取得する。時間情報取得部１３は、測定を実施する際の時間情報を取得する。測定機器特性登録部１４は、測定機器Ａ、Ｂ、Ｃ、Ｄ側から送られてきた測定機器の型やシリアルＮｏ等の特性情報を登録する。
【００２２】
データ特定キー生成部１５は、位置情報取得部１２で取得した位置情報、時間情報取得部１３で取得した時間情報及び測定機器特性登録部１４からの測定機器特性情報に基づき、測定情報取得インターフェイス１１で取得した測定データを特定するためのデータ特定キーを生成する。
【００２３】
測定結果編集部１６は測定情報取得インターフェイス１１が取得した測定データを予め定めたデータ形式に加工する。そのため、測定結果編集部１６は、音声情報加工部１７、画像情報加工部１８及び数値情報加工部１９を備えている。データ編集機構２０は、データ特定キー生成部１５で生成したデータ特定キーと測定結果編集部１６で加工した測定結果データをそれぞれ符合データ部分及びバイナリー部分とする、共通フォーマットデータである宅地情報コンテナデータを作成する。出力インターフェイス２１は、データ編集機構２０からの宅地情報コンテナデータを出力する。
【００２４】
解析センター３は宅地情報編集システム１で編集され、送信されてきたデータ（共通フォーマットデータ）をデータベースに蓄積するとともに、解析サーバによりそのデータを二次加工し、必要に応じて利用者に提供する。
【００２５】
次に、本実施形態の宅地情報編集システムの動作について述べる。図２及び図３は、それぞれデータ特定キー生成及び宅地情報コンテナデータ作成のフローを示す図であり、図１と同様な要素には同じ符号を付してある。
【００２６】
先ず、地盤などの宅地に関連する情報を測定機器Ａ、Ｂ、Ｃ、Ｄなどで測定する。これらは位置情報と関連させる。これらの測定機器Ａ、Ｂ、Ｃ、Ｄで測定したデータは、汎用の手法により宅地情報編集システム１側に転送される。その際、測定機器の型やシリアルＮｏ等の測定機器特性情報も合せて送る。測定情報取得インターフェイス１１は測定データ及び測定機器特性情報を取得し、測定データは測定結果編集部１６に送り、測定機器特性情報は測定機器特性登録部１４に登録させる。
【００２７】
次に、位置情報取得部１２は、測定を行う宅地の位置情報（経度及び緯度）を取得する。このため、位置情報取得部１２は、図２に示すようにＧＰＳ情報取得機能３１及び住所変換設定機能３２を備え、相互チェックできるようにしておくことが好ましい。また、時間情報取得部１３は、測定を実施する時間情報を取得する。このため、時間情報取得部１３は、図２に示すように内部時計設定機能３３及び時刻検証機能３４を備え、相互チェックできるようにしておくことが好ましい。時刻検証機能３４は電波時計やＮＴＰサーバ等を利用し、時刻同期をとる。
【００２８】
データ特定キー生成部１５は、位置情報取得部１２、時間情報取得部１３、測定機器特性登録部１４からの位置情報、時間情報、測定機器特性情報に基づき、測定情報取得インターフェイス１１で取得した測定データを特定するためのデータ特定キーを生成する。このデータ特定キーはデータ編集機構２０に送られる。
【００２９】
一方、測定結果編集部１６は測定情報取得インターフェイス１１で取得した測定データを受け取り、予め定めたデータ形式に加工する。データ加工は、音声情報加工部１７、画像情報加工部１８及び数値情報加工部１９がそれぞれのデータの種類に応じて担う。加工されたデータは測定結果データとしてデータ編集機構２０に送られる。
【００３０】
データ編集機構２０は、データ特定キー生成部１５で生成したデータ特定キーと測定結果編集部１６で加工した測定結果データをそれぞれ符合データ部分及びバイナリー部分とする、共通フォーマットデータである宅地情報コンテナデータを作成する。図３のデータ保全加工部３５、共通フォーマット編集部３６、ヘッダ部編集機能３７及びデータ部編集機能３８がデータ編集機構２０に相当する。データ保全加工部３５は、測定結果データの改竄防止が必要な場合に、生成したデータ特定キーのデータを加工し、秘密キーを生成して暗号化を行う。なお、復号に際しての公開鍵は常に位置情報とし、復号の負荷を軽減させる。データ編集機構２０で得られたデータは、図３に示すように、例えば、位置情報キー、時間情報キー、種別キー、データ属性キー及び測定機器情報からなるヘッダ情報と、可変長データ及び測定データ情報からなる測定結果データ（バイナリー）より構成される。
【００３１】
データ編集機構２０で得られたデータは出力インターフェイス２１より出力される。出力されたデータは、可搬媒体あるいはMobileインターフェイスや電気通信回線を介して解析センター３に送られ、データベースに蓄積される。
【００３２】
上記では測定機器情報を測定機器側から取得したが、別途測定機器情報を記憶した可搬媒体から測定機器特性登録部１４に取り込んでもよい。
【００３３】
次に、上記のようにして宅地情報編集システム１で編集され、解析センター３に送られ、データベースに蓄積され、二次加工されたデータを利用するシステムについて述べる。
【００３４】
図４は、解析センター３の解析サーバ４０の構成を模式的に示すブロック図である。解析サーバ４０は、データベース４１、入出力（Ｉ／Ｏ）インターフェイス４２、入力部４３、処理部（ＣＰＵ）４４、主記憶部４５及び表示部４６を有し、これらはバス４７により接続されている。
【００３５】
データベース４１は、前記宅地情報システム１から送信されてきたデータ（共通フォーマットデータ）を、位置情報を共通的な識別キーとして蓄積する。ここで、データは、図５に示すように、データを特定するための符号部の属性を定義する領域とデータ長のみ意識すればよいバイナリーデータとして管理されるため、データベース管理の負荷が軽減される。
【００３６】
入出力インターフェイス４２は、外部とデータ等のやりとりを行い、入力部４３は、キーボードやマウス等の情報入力手段からなり、必要な情報の入力に使用され、処理部４４は、宅地情報編集システム１から送られてきたデータの二次加工等を行う。また、主記憶部４５は、データ解析に必要なプログラムを格納し、表示部４６は分析データ等をディスプレイ表示する。
【００３７】
データ解析は、処理部４４が、データベース４１から必要なデータを、公開鍵である位置情報をもとに復号化して取り出し、共通フォーマット編集部−２で通常形式データとしてから行う。その解析のフローを図５に示す。
【００３８】
このように、地盤調査会社等が測定機器や測定実施要員を意識することなく測定データに対しての特定化情報として位置情報／実施日時情報が付与された形式のデータとして編集／出力されることにより、作業負荷が軽減する。
【００３９】
また、解析センター３での測定データの二次加工のために情報抽出／復号を行う際に公開鍵とされた位置情報が複数の測定機器／測定時間で取得されたデータに対しての共通キー情報となるため、正確性が向上する。
【符号の説明】
【００４０】
１    宅地情報編集システム
２    位置情報関連測定機器群
３    解析センター
１１    測定情報取得インターフェイス
１２    位置情報取得部
１３    時間情報取得部
１４    測定機器特性登録部
１５    データ特定キー生成部
１６    測定結果編集部
１７    音声情報加工部
１８    画像情報加工部
１９    数値情報加工部
２０    データ編集機構
２１    出力インターフェイス
３１    ＧＰＳ情報取得機能
３２    住所変換設定機能
３３    内部時計設定機能
３４    時刻検証機能
３５    データ保全加工部
３６    共通フォーマット編集部
３７    ヘッダー部編集機能
３８    データ部編集機能
４０    解析サーバ
４１    データベース
４２    入出力インターフェイス
４３    入力部
４４    処理部（ＣＰＵ）
４５    主記憶部
４６    表示部
４７    データバス
【図１】
2011128728.tif 000003
【図２】
2011128728.tif 000004
【図３】
2011128728.tif 000005
【図４】
2011128728.tif 000006
【図５】
2011128728.tif 000007